(57)【要約】【課題】空気調和機において、定格と異なった電源電圧が供給されないような異電圧投入防止装置及びそれを設けた空気調和機を提供する。【解決手段】電源コードと電源プラグを備えた空気調和機の異電圧投入防止装置であって、前記電源プラグ又は電源コードに取り付けられ、取り外さないと前記電源プラグの刃をコンセントへ差し込むことができない手段を設け、且つ前記手段にはコンセントの電圧確認を喚起する注意書きが設けられていることを特徴とする異電圧投入防止装置、およびそれを設けた空気調和機。【選択図】図２
2009192166.tif 000002
【特許請求の範囲】
【請求項１】
電源コードと電源プラグを備えた空気調和機の異電圧投入防止装置であって、前記電源プラグ又は電源コードに取り付けられ、取り外さないと前記電源プラグの刃をコンセントへ差し込むことができない手段を設け、且つ前記手段にはコンセントの電圧確認を喚起する注意書きが設けられていることを特徴とする空気調和機の異電圧投入防止装置。
【請求項２】
電源コードと電源プラグを備えた空気調和機の異電圧投入防止装置であって、前記電源プラグ又は電源コードに取り付けられ、取り外さないと前記電源プラグの刃をコンセントへ差し込むことができない手段、および該手段と連接された、コンセントの電圧確認を喚起する注意書きを記載したタグを設けたことを特徴とする空気調和機の異電圧投入防止装置。
【請求項３】
前記取り外さないと電源プラグの刃をコンセントへ差し込むことができない手段が、電源プラグを覆う形状を有するものであることを特徴とする請求項１又は２記載の空気調和機の異電圧投入防止装置。
【請求項４】
前記電源プラグを覆う形状に、更に電源プラグの刃が接触することによる接触したものへの傷つき防止機能を付加したことを特徴とする請求項３記載の空気調和機の異電圧投入防止装置。
【請求項５】
前記取り外さないと電源プラグの刃をコンセントへ差し込むことができない手段が、電源プラグの刃を前記手段へ差し込むことにより固定するものであることを特徴とした請求項１〜４のいずれか１項に記載の空気調和機の異電圧投入防止装置。
【請求項６】
前記取り外さないと電源プラグの刃をコンセントへ差し込むことができない手段が、電源プラグの刃に被せて固定されるチューブ形状のものであることを特徴とした請求項１〜４のいずれか１項に記載の空気調和機の異電圧投入防止装置。
【請求項７】
前記請求項１〜６のいずれか１項に記載の空気調和機の異電圧投入防止装置を設けたことを特徴とする空気調和機。
【発明の詳細な説明】
【技術分野】
【０００１】
この発明は、空気調和機の電源プラグをコンセントへ差し込む前に、コンセントの電圧確認を喚起することにより、空気調和機の定格電圧と異なった電圧印加による空気調和機の故障・動作停止・電圧異常表示などを防止する異電圧投入防止装置およびそれを設けた空気調和機に関するものである。
【背景技術】
【０００２】
従来の空気調和機は、定格電圧と異なった電圧が供給されると空気調和機で検出し表示したり、過電圧に対してはヒューズ、バリスター等を破損させることにより対応していた（例えば、特許文献１参照。）。
また、空気調和機の据付け作業においては、定格電圧と異なった電圧が空気調和機に供給されないように注意書きを記載した据付け工事説明書を製品に同梱することで、作業注意をしていた。
【０００３】
【特許文献１】特開平７−２８６７４６号公報（図１、［０００８］〜［００１０］）
【発明の開示】
【発明が解決しようとする課題】
【０００４】
一般に空気調和機の電源プラグとコンセントの電極勘合部は、定格電圧によって異なる形状をしており、コンセント形状に適した電圧がコンセントへ供給されていれば、定格電圧と異なった電圧（以下異電圧と記載）が空気調和機へ供給されることはない。
しかし、空気調和機には１００Ｖ用と２００Ｖ用の両方の機種が存在しているため、定格電圧の勘違いや工事作業ミスなどによりコンセント形状と異なった電圧がコンセントへ供給されることがある。また、空気調和機の据付け工事においては、空気調和機へ電力供給するコンセントの屋内配線工事業者と空気調和機の据付け業者が異なる場合も多く、またその作業時期に時間差がある場合も多く、業者間の情報伝達不足や、屋内配線工事完了後に機種変更された時の電源電圧変更忘れなどにより、コンセント形状と異なる電源電圧が供給されることもある。
このような時、従来の空気調和機は、異電圧が印加されたことを表示するために、印加された電圧を検出する手段や表示手段などが必要であり、コストアップや基板面積が拡大する等の問題点があった。
【０００５】
また、据付け業者やユーザが異電圧投入を知らせる表示内容を理解していないと製品故障と勘違いして修理依頼されることもあり、修理費用が発生したり、取り付け工事完了の遅延、使用開始の遅延などの問題もあった。
また、過電圧に対して、ヒューズ、バリスター等の破損で対応する場合は、その部品交換が必要になり、部品費や交換作業費などの修理費用が発生したり、取り付け工事完了の遅延、使用開始の遅延などの問題があった。
さらに、製品に同梱された据付け工事説明書には異電圧投入を防止するための注意書きが記載してあるが、同梱物が多く据付け工事説明書自体を読んでもらえなかったり、据付け工事説明書の情報量が多いために当該箇所について読んでもらえなかったり、読むタイミングと実際の電源プラグをコンセントへ差し込む作業タイミングが異なるために電源プラグ差し込み作業時に電圧確認の注意事項を忘れていたり、据付け工事説明書を読む前に空気調和機に電源投入されたりすることもあり、より注意喚起できる方法が望まれていた。
【０００６】
この発明は、上記のような課題を解決するためになされたもので、第１の目的は、空気調和機への異電圧投入を防止する異電圧投入防止装置およびそれを設けた空気調和機を得るものである。
【０００７】
また、第２の目的は、空気調和機の電源プラグの刃が、空気調和機の工場での組立作業や梱包状態や開梱時に電源コードなどの周囲の物と接触し傷をつけることを防止できる空気調和機を得るものである。
【課題を解決するための手段】
【０００８】
この発明に係る空気調和機の異電圧投入防止装置は、電源コードと、電源プラグと、取り外さないと前記電源プラグの刃をコンセントへ差し込むことができない手段を前記電源プラグ又は電源コードに取り付け、前記手段にコンセントの電圧確認を喚起する注意書きとを備えるものである。
【発明の効果】
【０００９】
また、この発明の空気調和機の異電圧投入防止装置は、電源コードと電源プラグを備えた空気調和機において、取り外さないと前記電源プラグの刃をコンセントへ差し込むことができない手段を前記電源プラグ又は電源コードに取り付け、前記手段にコンセントの電圧確認を喚起する注意書きを設けるように構成したので、電源プラグをコンセントへ差し込むためには、前記手段を電源プラグ又は電源コードから外す必要があり、その取り外し作業のためにはその手段を必然的に見るため、前記手段に記載された注意書きを読むことになる。
その結果、空気調和機の電源プラグをコンセントへ差し込む作業直前にコンセントの電圧確認を喚起できるという効果を有する。
また、注意書きの記載内容を異電圧投入防止に限定することで、情報量が少なくなり短時間で内容を理解し易いという効果も有する。
【発明を実施するための最良の形態】
【００１０】
実施の形態１．
図１は、この発明の実施の形態１における空気調和機の構成図、図２は、この発明の実施の形態１における空気調和機の異電圧投入防止装置の電源プラグとその周辺部品の構成図であり、（ａ）は側面視、（ｂ）は上面視を示すものである。尚、各図は、本実施の形態１の説明上必要な箇所に限定されている略図である。
図において、空気調和機の室内機１は、コンセント２から電力供給を受けるために、電源コード３、電源プラグ４を有しており、電源コード３は電源プラグ４と室内機１の端子台や基板（図省略）と電気的に接続されている。コンセント２へは配電系統から引き込み線、分電盤（図省略）、屋内配線５等を経由して交流１００Ｖ又は２００Ｖの商用電源が供給されている。ここで、電源プラグ４の刃４ａをコンセント２の刃受け口２ｂに差し込むと、コンセント２内部の刃受け２ａと電源プラグの刃４ａが勘合し、商用電源の電力を空気調和機へ伝達することができる。また電源プラグ４の刃４ａ、コンセント２の刃受け２ａ及び刃受け口２ｂの形状は、機器の電圧・電流等により異なっており、アース端子付きのものもある。
【００１１】
電源プラグ４はカバー６の中に収納されており、電源プラグ４の刃４ａをコンセント２の刃受け口２ｂに差し込むためには、カバー６を電源プラグ４から外す必要がある。そして、カバー６の表面には注意書き６ａが記載されている。この注意書き６ａは、カバー６の取り外し作業時に確認しやすい方向に記載したり、あるいは全ての方向へ記載したりすることで目視されやすくなる。また、室内機１と室外機７間は、内外接続電線８で電気的に接続され、冷媒配管９で冷媒回路が接続されている。室外機７は、アース端子（図省略）を設けており、アース端子とアース１０はアース線１１で電気的に接続されている。このアース端子は場合によって、室内機１内部の電気品箱や電源プラグ４などに設けてある場合もある。
【００１２】
次に動作について説明する。
このように構成された空気調和機における異電圧投入防止装置においては、電源プラグ４をコンセント２へ差し込む時に、カバー６を取り外さないと差し込むことができないためカバー６を取り外す作業が発生する。このカバー６を取り外す際に注意書き６ａを見ることとなる。そのため注意書き６ａに記載されたコンセント２の電圧確認を喚起する文章を読み、電源プラグ４をコンセント２へ差し込む前にテスター等でコンセント２の電圧確認が必要であることを理解し、コンセント２の電圧確認を実施することができる。
その結果、定格電圧と異なった電圧となっているときは、そのことに気づき、空気調和機への電源投入前にコンセント２の電源電圧の修正工事を実施することができる。これにより、異電圧投入による空気調和機の故障や異常動作、異電圧投入表示などによる修理費用発生・工事遅延・使用開始遅延などを防止することができる。
【００１３】
以上のように、異電圧投入を防止することで、空気調和機の故障や異常動作、異電圧投入表示などによる修理費用発生・工事遅延・使用開始遅延などを防止することができる。尚、本実施の形態１では取り外さないと電源プラグの刃をコンセントへ差し込むことができない手段として、カバーを使用しているが、カバー以外でもコンセントへの電源プラグの差し込み作業が取り外さないとできない形状で、かつ注意書きが記載されておれば同様の効果が得られることは言うまでもない。またカバー６の形状を直方体としているが他の形状（例えば直方体以外の立体形状や袋状やテープ状のものを巻きつけた形状）でもよい。
また、図における注意書きの文章はその一例であり、空気調和機の定格電圧や注意内容や表現などは適宜変更することができる。
【００１４】
実施の形態２．
本実施の形態２は、上述の実施の形態１では、取り外さないと電源プラグの刃をコンセントへ差し込むことができない手段自体に注意書きを記載しているが、注意書きが書ききれない場合や文字が小さく読み難くなる場合などに、別途の手段に注意書きを記載することにより対処するものである。
図３は、このような場合の、電源プラグ部とその周辺図であり、（ａ）は側面視、（ｂ）は上面視である。注意書き６ａは、注意書きタグ６ｂに記載されており、カバー６と注意書きタグ６ｂとは紐６ｃにより接続されている。
【００１５】
以上のように、注意書き６ａを別の手段に記載しているので、取り外さないと電源プラグの刃をコンセントへ差し込むことができない手段が小さいときや文字を書く、あるいは読むことが困難な材料・形状で構成されている場合でも、注意書き６ａを明瞭に記載することができる。尚、本実施の形態２では接続を紐６ｃにより行っているが、紐６ｃ以外でもよく、また袋の中に同梱したり、テープで接続したり、注意書き自体を取り外さないと電源プラグをコンセントへ差し込むことができない手段へ直接接続するなどの方法を採ることもできる。
【００１６】
実施の形態３．
本実施の形態３は、上述の実施の形態１、２では、取り外さないと電源プラグの刃をコンセントへ差し込むことができない手段として、カバー内部へ電源プラグを収納する例を記載しているが、その固定方法として電源プラグの刃を前記手段へ差し込んで固定するものである。
図４は、このような場合の、電源プラグ部とその周辺図であり、（ａ）は側面視、（ｂ）は上面視である。注意書き６ａは紙タグ６ｄの表面に記載されており、電源プラグ４の刃４ａを紙タグ６ｄに差し込み固定している。このとき紙タグ６ｄはボール紙等ある程度の強度を有するものの方が固定しやすく好ましい。また本実施の形態３では紙タグ６ｄを平面形状としているが、平面以外の形状、例えば紙タグ６ｄに折り曲げた立体形状や、図５に示すごとき突出部による刃ホルダー部６ｅを設けてもよい。また紙タグ６ｄの材質は、紙以外のものを使用することもできる。
【００１７】
以上のように、注意書きを記載した取り外さないと電源プラグの刃をコンセントへ差し込むことができない手段である紙タグ６ｄに直接電源プラグの刃を差し込み固定しているので、材料費や固定作業費などのコスト削減や注意書きの内容が多い時に部品点数を増やさず対応することができる。
【００１８】
実施の形態４．
本実施の形態４は、取り外さないと電源プラグの刃をコンセントへ差し込むことができない手段としてチューブ状カバーを使用し、このチューブ状カバーを電源プラグの刃に被せて固定するものである。
図６は、このような場合の、電源プラグ部とその周辺図であり、（ａ）は側面視、（ｂ）は上面視である。
電源プラグ４の刃４ａにチューブ状カバー１２を被せて固定してある。注意書き６ａは紙タグ６ｂに記載されており、チューブ状カバー１２と紐６ｃで接続されている。このときチューブ状カバー１２はプラスチックなどの樹脂やビニールやゴムなどのある程度変形するものの方が固定しやすく好ましい。また本実施の形態４ではチューブ状カバー１２を楕円筒形状としているが、他の形状を使用することもできる。また、本実施の形態４では注意書き６ａを紙タグ６ｂに記載しているが、チューブ状カバー１２に記載してもよい。
【００１９】
以上のように、チューブ状カバー１２と注意書き６ａを記載した紙タグ６ｂとを接続し、チューブ状カバー１２を電源プラグの刃４ａに差し込み固定するようにしているので、材料費や固定作業費などのコスト削減をすることができる。
【００２０】
上述のごとく、実施の形態１〜４に記載の異電圧投入防止装置を備えたことを特徴とする本発明の空気調和機は、異電圧投入による空気調和機の故障、異常動作等のトラブルを未然に防止することができ、また、安全、確実な据え付け工事を期待することができる。
【図面の簡単な説明】
【００２１】
【図１】この発明の実施の形態１における空気調和機の構成を示す図である。
【図２】この発明の実施の形態１における電源プラグ周辺の構成を示す図である。
【図３】この発明の実施の形態２における電源プラグ周辺の構成を示す図である。
【図４】この発明の実施の形態３における電源プラグ周辺の構成を示す図である。
【図５】この発明の実施の形態３において凸部を形成した場合における電源プラグ周辺の構成を示す図である。
【図６】この発明の実施の形態４における電源プラグ周辺の構成を示す図である。
【符号の説明】
【００２２】
１  室内機、２  コンセント、２ａ  コンセントの刃受け、２ｂ  コンセントの刃受け口、３  電源コード、４  電源プラグ、４ａ  電源プラグの刃、６  カバー、６ａ  注意書き（例）、６ｂ  注意書きタグ、６ｃ  紐、６ｄ  紙タグ、６ｅ  刃ホルダー部、７  室外機、８  内外接続電線、９  冷媒配管、１０  アース、１１  アース線、１２  チューブ状カバー。
【図１】
2009192166.tif 000003
【図２】
2009192166.tif 000004
【図３】
2009192166.tif 000005
【図４】
2009192166.tif 000006
【図５】
2009192166.tif 000007
【図６】
2009192166.tif 000008